(57)【特許請求の範囲】
【請求項１】
物体側より順に、
正の屈折力の第１レンズ群、
負の屈折力の第２レンズ群、
正の屈折力の第３レンズ群からなり、
開口絞りは前記第１レンズ群と前記第２レンズ群との間に配置し、
前記第２レンズ群は１枚のレンズからなり、
前記第２レンズ群を像面側へ移動することでフォーカシングを行い、
下記の条件を満足することを特徴とする大口径レンズ。
（１）０．８５＜｜ｆ２／ｆ｜≦１．６１
（２）０．９７≦｜Ｄｓ／ｆ２｜≦１．３９
（３）０．５＜ｆ１／ｆ＜２．０
但し、
ｆ：レンズ全系の焦点距離
ｆ２：第２レンズ群の焦点距離
Ｄｓ：開口絞り面から結像面までの距離
ｆ１：第１レンズ群Ｇ１の焦点距離
【請求項２】
前記第１レンズ群は、
負の屈折力を持つ第１Ａレンズ群、
正の屈折力を持つ第１Ｂレンズ群からなり、
前記第１Ａレンズ群の最も像側のレンズ群は、レンズ全系において、物体側から数えて１枚目または２枚目の負メニスカスレンズであり、
前記第１Ｂレンズ群の最も物体側のレンズは、物体側から数えて１枚目の負メニスカスレンズの物体側に隣接する両凹レンズ、または２枚目の負メニスカスレンズの物体側に隣接する、レンズ全系において物体側から数えて１枚目の両凹レンズであり、
下記の条件を満足することを特徴とする請求項１に記載の大口径レンズ。
（４）１．０＜｜ｆ１Ａ／ｆ１｜＜５．０
（５）０．５＜｜ｆ１Ｂ／ｆ１｜≦０．９１
但し、
ｆ１Ａ：第１Ａレンズ群の焦点距離
ｆ１Ｂ：第１Ｂレンズ群の焦点距離
【請求項３】
下記の条件をさらに満足することを特徴とする請求項１又は２に記載の大口径レンズ。
（６）０．７＜ｆ３／ｆ＜１．５
但し、
ｆ３：第３レンズ群の焦点距離
【請求項４】
下記の条件をさらに満足することを特徴とする請求項１乃至３のいずれか１項に記載の大口径レンズ。
（７）４．０＜β２／β３＜５０．０
但し、
β２：第２レンズ群の倍率
β３：第３レンズ群の倍率
【発明の詳細な説明】
【技術分野】
【０００１】
本発明は、デジタルカメラ、銀塩カメラ、ビデオカメラ等に用いられるレンズに関するもので、動画撮影時のオートフォーカスに対応するため、フォーカスレンズ重量を削減しつつ、フォーカシングによる収差変動が少なく、インナーフォーカス方式を採用する開放Ｆ値が１．４程度の明るさにも適応可能で高性能な大口径レンズに関するものである。
【背景技術】
【０００２】
従来、ガウスタイプの大口径レンズ、またはインナーフォーカスタイプのレンズの例としては、例えば以下の特許文献等に記載されている。
【０００３】
特許文献１には、ガウスタイプの大口径レンズが開示されている。
【０００４】
特許文献２、特許文献３には、インナーフォーカスを採用した中望遠レンズが開示されている。
【先行技術文献】
【特許文献】
【０００５】
【特許文献１】特開２００９−１９２９９６号公報
【０００６】
【特許文献２】特開平０７−１９９０６６号公報
【０００７】
【特許文献３】特許第３０２１８９０号公報
【発明の概要】
【発明が解決しようとする課題】
【０００８】
特許文献１に記載されたガウスタイプの大口径レンズは、古典的な全体繰り出し方式を採用しているので、フォーカスに用いるレンズ重量が重く、動画撮影時のオートフォーカスに対応させるのには不適切である。
【０００９】
特許文献２に記載された、インナーフォーカスを採用した大口径レンズは、正の屈折力の第１群、フォーカシング群として利用する正の屈折力の第２群、正の屈折力の第３群の３群構成を採用しており、全体繰り出しのレンズ構成に対して、フォーカシング群の軽量化を実現している。
【００１０】
しかしながら、特許文献２に記載されたインナーフォーカスを採用した大口径レンズは、Ｆ１．４程度の大口径中望遠レンズにおいて十分な収差補正を行うためには、フォーカシング群には５枚程度のガウス構成を用いる必要がある。
【００１１】
また、フォーカシングに必要なスペースの増大を避けるためには、第２レンズ群で正の屈折力を強くする必要がある。そのためには、第１レンズ群で正の屈折力を緩くする必要があり、第１レンズ群から射出する光線高さを十分に小さくすることが出来ない。その結果、フォーカシング群に用いる第２レンズ群のレンズ径が大きくなるので、フォーカスユニットの十分な軽量化が出来ていないという問題があり、動画撮影時のスムーズなオートフォーカスに対応させるためには不十分であった。
【００１２】
特許文献３に記載された、インナーフォーカスを採用した中望遠レンズは、正の屈折力の第１群、フォーカシング群として利用する負の屈折力の第２群、正の屈折力の第３群の３群構成を採用しており、フォーカス群には２枚の接合レンズを採用しており、迅速なオートフォーカスが可能である。しかしながら、第１レンズ群は正レンズ、正レンズ、正レンズ及び負レンズとの接合レンズの４枚構成となっており、望遠レンズ、或いは開放Ｆ値がＦ１．８程度のレンズに適応されるものであるため、開放Ｆ値が１．４程度の高性能な大口径レンズを実現するのは困難であるという問題があった。
【００１３】
本発明はこのような状況に鑑みてなされたものであり、デジタルカメラ、銀塩カメラ、ビデオカメラ等に用いられるレンズに関して、簡易な構成ながら、動画撮影時のオートフォーカスに対応するため、フォーカスレンズ重量を削減しつつ、フォーカシングによる収差変動が少なく、高性能なインナーフォーカス方式を採用する大口径レンズを提供することを目的とする。
【課題を解決するための手段】
【００１４】
上記目的を達成するために、本発明を実施の大口径望遠レンズは、物体側より順に、
正の屈折力の第１レンズ群、
負の屈折力の第２レンズ群、
正の屈折力の第３レンズ群からなり、
開口絞りは前記第１レンズ群と前記第２レンズ群との間に配置し、
前記第２レンズ群は１枚のレンズからなり、
前記第２レンズ群を像面側へ移動することでフォーカシングを行い、
下記の条件を満足することを特徴とする大口径レンズ。
（１）０．８５＜｜ｆ２／ｆ｜≦１．６１
（２）０．９７≦｜Ｄｓ／ｆ２｜≦１．３９
（３）０．５＜ｆ１／ｆ＜２．０
但し、
ｆ：レンズ全系の焦点距離
ｆ２：第２レンズ群の焦点距離
Ｄｓ：開口絞り面から結像面までの距離
ｆ１：第１レンズ群Ｇ１の焦点距離
【００１５】
さらに本発明を実施の大口径レンズは、上記発明において、
前記第１レンズ群は、
負の屈折力を持つ第１Ａレンズ群、
正の屈折力を持つ第１Ｂレンズ群からなり、
前記第１Ａレンズ群の最も像側のレンズ群は、レンズ全系において、物体側から数えて１枚目または２枚目の負メニスカスレンズであり、
前記第１Ｂレンズ群の最も物体側のレンズは、物体側から数えて１枚目の負メニスカスレンズの物体側に隣接する両凹レンズ、または２枚目の負メニスカスレンズの物体側に隣接する、レンズ全系において物体側から数えて１枚目の両凹レンズであり、
下記の条件を満足することを特徴とする請求項１に記載の大口径レンズ。
（４）１．０＜｜ｆ１Ａ／ｆ１｜＜５．０
（５）０．５＜｜ｆ１Ｂ／ｆ１｜≦０．９１
但し、
ｆ１Ａ：第１Ａレンズ群の焦点距離
ｆ１Ｂ：第１Ｂレンズ群の焦点距離
【００１６】
さらに本発明を実施の大口径レンズは、上記発明において、下記の条件を満足することを特徴とする請求項１又は２に記載の大口径レンズ。
（６）０．７＜ｆ３／ｆ＜１．５
但し、
ｆ３：第３レンズ群の焦点距離
【００１７】
さらに本発明を実施の大口径レンズは、上記発明において、下記の条件を満足することを特徴とする請求項１乃至３のいずれか１項に記載の大口径レンズ。
（７）４．０＜β２／β３＜５０．０
但し、
β２：第２レンズ群の倍率
β３：第３レンズ群の倍率
【発明の効果】
【００１９】
本発明を実施の大口径レンズによれば、簡易な構成ながら、動画撮影時のオートフォーカスに対応するため、フォーカスレンズ重量を削減しつつ、フォーカシングによる収差変動が少なく、インナーフォーカス方式を採用する開放Ｆ値１．４程度の明るさにも適応可能で高性能な大口径レンズを提供することができる。
【図面の簡単な説明】
【００２０】
【図１】実施例１の無限遠におけるレンズ断面図である。
【図２】実施例１の無限遠における縦収差図である。
【図３】実施例１の撮影倍率１：４０倍における縦収差図である。
【図４】実施例１の無限遠における横収差図である。
【図５】実施例１の撮影倍率１：４０倍における横収差図である。
【図６】実施例２の無限遠におけるレンズ断面図である。
【図７】実施例２の無限遠における縦収差図である。
【図８】実施例２の撮影倍率１：４０倍における縦収差図である。
【図９】実施例２の無限遠における横収差図である。
【図１０】実施例２の撮影倍率１：４０倍における横収差図である。
【図１１】実施例３の無限遠におけるレンズ断面図である。
【図１２】実施例３の無限遠における縦収差図である。
【図１３】実施例３の撮影倍率１：４０倍における縦収差図である。
【図１４】実施例３の無限遠における横収差図である。
【図１５】実施例３の撮影倍率１：４０倍における横収差図である。
【図１６】実施例４の無限遠におけるレンズ断面図である。
【図１７】実施例４の無限遠における縦収差図である。
【図１８】実施例４の撮影倍率１：４０倍における縦収差図である。
【図１９】実施例４の無限遠における横収差図である。
【図２０】実施例４の撮影倍率１：４０倍における横収差図である。
【図２１】実施例５の無限遠におけるレンズ断面図である。
【図２２】実施例５の無限遠における縦収差図である。
【図２３】実施例５の撮影倍率１：４０倍における縦収差図である。
【図２４】実施例５の無限遠における横収差図である。
【図２５】実施例５の撮影倍率１：４０倍における横収差図である。
【図２６】参考例１の無限遠におけるレンズ断面図である。
【図２７】参考例１の無限遠における縦収差図である。
【図２８】参考例１の撮影倍率１：４０倍における縦収差図である。
【図２９】参考例１の無限遠における横収差図である。
【図３０】参考例１の撮影倍率１：４０倍における横収差図である。
【図３１】参考例２の無限遠におけるレンズ断面図である。
【図３２】参考例２の無限遠における縦収差図である。
【図３３】参考例２の撮影倍率１：４０倍における縦収差図である。
【図３４】参考例２の無限遠における横収差図である。
【図３５】参考例２の撮影倍率１：４０倍における横収差図である。
【図３６】実施例８の無限遠におけるレンズ断面図である。
【図３７】実施例８の無限遠における縦収差図である。
【図３８】実施例８の撮影倍率１：４０倍における縦収差図である。
【図３９】実施例８の無限遠における横収差図である。
【図４０】実施例８の撮影倍率１：４０倍における横収差図である。
【図４１】実施例９の無限遠におけるレンズ断面図である。
【図４２】実施例９の無限遠における縦収差図である。
【図４３】実施例９の撮影倍率１：４０倍における縦収差図である。
【図４４】実施例９の無限遠における横収差図である。
【図４５】実施例９の撮影倍率１：４０倍における横収差図である。
【発明を実施するための形態】
【００２１】
本発明に係る大口径レンズは、図１、図６、図１１、図１６、図２１、図２６、図３１、図３６、及び図４１に示すレンズ断面図からわかるように、物体側より順に、正の屈折力の第１レンズ群Ｇ１、負の屈折力の第２レンズ群Ｇ２、正の屈折力の第３レンズ群Ｇ３からなり、開口絞りは第１レンズ群Ｇ１と第２レンズ群Ｇ２との間に配置し、第２レンズ群を像面側へ移動することでフォーカシングを行う構成としている。
【００２２】
開放Ｆ値が１．４程度の大口径レンズにおいて、コンパクト化と高性能化を両立するのには、コマフレアーを適切に除去する必要性があることから、ガウスタイプのレンズ構成を採用することが適切である。
【００２３】
一般的に、ガウスタイプのレンズ構成において開口絞りを配置するには、絞りユニットを配置するために必要なスペース確保の都合から、強い凹面の中間部に開口絞りを配置して、絞りユニットを挟んだ対称光学系に設定することが適切である。
【００２４】
そこで、開口絞りを第１レンズ群Ｇ１内部に配置すると、絞りユニットを配置する都合から、第１レンズ群Ｇ１を分断し、メカ構造として第１レンズ群Ｇ１のレンズ鏡室を２分割とする必要性が生じる。
【００２５】
第１レンズ群Ｇ１を第１Ａレンズ群Ｇ１Ａと第１Ｂレンズ群Ｇ１Ｂに２分割すると、第１Ｂレンズ群Ｇ１Ｂの偏芯敏感度が大きいので、製造時に偏芯による性能低下を改善することが課題となる。
【００２６】
一般的に、群ユニットの偏芯敏感度が大きい場合、製造時に偏芯による性能低下を回避するには、群ユニット全体を偏芯調整することが有効である。しかしながら、絞りユニットとフォーカス機構を有する第２レンズ群Ｇ２との間に位置する第１Ｂレンズ群Ｇ１Ｂに対して、簡易な構造で偏芯調整を行うことは困難である。
【００２７】
そこで、本発明のレンズ構成のように、開口絞りを第１レンズ群Ｇ１と第２レンズ群Ｇ２との間に配置することで、第１レンズ群Ｇ１のレンズ鏡室を一体構造とすることが容易になり、第１レンズ群Ｇ１に偏芯調整機構を採用することが容易となる。その結果、第１レンズ群Ｇ１の偏芯による性能低下を改善することが可能となる。
【００２８】
また、本発明に係る大口径レンズは、第２レンズ群Ｇ２をフォーカシングに用いることで、簡易な構成の軽量な光学系でインナーフォーカス方式を採用している。
【００２９】
本発明のレンズ構成においてインナーフォーカス方式を採用しつつコンパクト化を実現するには、フォーカス群の移動量を削減すことが効果的なので、第２レンズ群Ｇ２を負の屈折力に設定する必要がある。
【００３０】
しかしながら、第２レンズ群Ｇ２を負の屈折力とすると、第２レンズ群Ｇ２全体の偏芯敏感度が大きくなり、さらにフォーカシングによる収差変動も大きくなるという問題がある。したがって、第２レンズ群Ｇ２の屈折力を適切に設定する必要がある。
【００３１】
また、光学系の配置上、絞りユニットとフォーカス機構が隣接することになるので、フォーカスレンズの移動量を十分に確保しつつコンパクト化を実現するには、開口絞りを適切な位置に設定する必要がある。
【００３２】
そのため、本発明に係る大口径レンズは、下記の条件式（１）及び条件式（２）を満足することを特徴としている。
（１）０．８５＜｜ｆ２／ｆ｜＜２．５
（２）０．７５＜｜Ｄｓ／ｆ２｜＜２．０
但し、
ｆ：レンズ全系の焦点距離
ｆ２：第２レンズ群Ｇ２の焦点距離
Ｄｓ：開口絞り面から結像面までの距離
【００３３】
条件式（１）は、レンズ全系の焦点距離に対する第２レンズ群Ｇ２の焦点距離の比を規定する式である。
【００３４】
条件式（１）の下限を超えると、第２レンズ群Ｇ２の焦点距離が小さくなるので、負の屈折力が強くなり第２レンズ群Ｇ２の偏芯敏感度が大きくなり、さらにフォーカシングによる収差変動も大きくなる。そのため、性能を改善するには第２レンズ群Ｇ２のレンズ枚数を増加する必要性が生じるが、フォーカスレンズの重量増加が避けられない。
【００３５】
条件式（１）の上限を超えると、第２レンズ群Ｇ２の焦点距離が大きくなるので、負の屈折力が弱くなり第２レンズ群Ｇ２の敏感度削減および性能改善には有利になる。しかしながら、フォーカシング時のレンズ移動量が大きくなるため、レンズ全長の大型化を招く。
【００３６】
条件式（２）は、第２レンズ群Ｇ２の焦点距離に対する開口絞り面から結像面までの距離の比を規定する式である。
【００３７】
条件式（２）の下限を超えると、第２レンズ群Ｇ２の焦点距離が大きくなるか、開口絞り面から結像面までの距離が短くなるので、フォーカスレンズの移動スペースおよびフォーカスレンズの駆動モーター等の機構を配置するスペースを確保出来なくなるという問題を生じる。また、開口絞り面から結像面までの距離を短くすると、周辺画角の射出角を小さくすることが出来ないという問題も生じる。一般的なデジタルカメラに装着するレンズは、周辺部の撮像素子において十分な光量を得るためにはイメージャ面に対する周辺光束の入射角を緩くする必要があり、そのためには周辺画角に対する射出角を適切に設定する必要がある。
【００３８】
条件式（２）の上限を超えると、第２レンズ群Ｇ２の焦点距離が小さくなるか、開口絞り面から結像面までの距離が長くなる。第２レンズ群Ｇ２の焦点距離が短くなると、条件式（１）同様に第２レンズ群Ｇ２の偏芯敏感度が増加するので製造時に偏芯による性能低下が問題になり、さらにフォーカシングによる収差変動も大きくなる。そのため、光学性能を改善するには第２レンズ群Ｇ２のレンズ枚数を増加する必要性が生じるが、フォーカスレンズの重量増加が避けられない。また、開口絞り面から結像面までの距離が長くなり過ぎると、レンズ全長の大型化を招く。
【００３９】
さらに、本発明に係る大口径レンズは、下記の条件式（３）を満足することが望ましい。
（３）０．５＜ｆ１／ｆ＜２．０
但し、
ｆ１：第１レンズ群Ｇ１の焦点距離
【００４０】
条件式（３）の下限を超えると、第１レンズ群Ｇ１の焦点距離が小さくなるので、第１レンズ群Ｇ１の正の屈折力が強くなり、第１レンズ群Ｇ１の偏芯敏感度が大きくなる。また収差補正も困難となるので、十分な収差補正を行うには第１レンズ群Ｇ１に非球面を採用する必要性が生じるが、さらに偏芯敏感度が増加するので製造時に偏芯による性能低下が問題になる。
【００４１】
条件式（３）の上限を超えると、第１レンズ群Ｇ１の焦点距離が大きくなるので、レンズ全長が大きくなる。さらに、第１レンズ群Ｇ１の屈折力が弱くなるので、開口絞り高さおよびフォーカシングに用いる第２レンズ群Ｇ２の光線高さが大きくなり、製品外径の増加を招く。
【００４２】
さらに、本発明に係る大口径レンズは、正の屈折力の第１レンズ群Ｇ１を負の屈折力を持つ第１Ａレンズ群Ｇ１Ａと正の屈折力を持つ第１Ｂレンズ群Ｇ１Ｂとから構成し、第１Ａレンズ群Ｇ１Ａは最も像側に負レンズを有し、第１Ｂレンズ群Ｇ１Ｂは最も物体側に負レンズを有し、下記の条件式（４）及び条件式（５）を満足することが望ましい。
（４）１．０＜｜ｆ１Ａ／ｆ１｜＜５．０
（５）０．５＜｜ｆ１Ｂ／ｆ１｜＜１．５
但し、
ｆ１Ａ：第１Ａレンズ群Ｇ１Ａの焦点距離
ｆ１Ｂ：第１Ｂレンズ群Ｇ１Ｂの焦点距離
【００４３】
上述したように、開放Ｆ値が１．４程度の大口径レンズにおいては、ガウスタイプのレンズ構成を採用することが望ましい。
【００４４】
ガウスタイプのレンズ構成において、入射角のきつい周辺画角の下光線に対して収差補正をするには、第１Ａレンズ群Ｇ１Ａを負の屈折力とすることが望ましい。しかしながら、第１Ａレンズ群Ｇ１Ａの負の屈折力を強くすると、第１Ｂレンズ群Ｇ１Ｂの正の屈折力も強くする必要が生じる。
【００４５】
そして、第１Ｂレンズ群Ｇ１Ｂの正の屈折力を強くすると上光線の収差補正が不十分になるので、第１Ｂレンズ群Ｇ１Ｂのレンズ枚数を増加させるなど対処が必要となる。したがって、第１Ａレンズ群Ｇ１Ａと第２Ｂレンズ群Ｇ１Ｂは、それぞれで焦点距離を適切に設定する必要がある。
【００４６】
条件式（４）の下限を超えると、第１Ａレンズ群Ｇ１Ａの焦点距離が短くなり負の屈折力が強くなるので、第１Ｂレンズ群Ｇ１Ｂに入射する光線高が高くなり、第１Ｂレンズ群Ｇ１Ｂにおいて収差補正が困難になると同時に偏芯敏感度も増加する。その結果、製造時に偏芯による性能低下が問題になる。
【００４７】
条件式（４）の上限を超えると、第１Ａレンズ群Ｇ１Ａの焦点距離が長くなり負の屈折力が弱くなるので、収差補正の観点から、第１Ａレンズ群Ｇ１Ａおよび、第１Ａレンズ群Ｇ１Ａと第１Ｂレンズ群Ｇ１Ｂとの間の群間隔で光路長を稼ぐ必要性が生じる。そのため、第１Ａレンズ群Ｇ１Ａの全長および、第１Ａレンズ群Ｇ１Ａと第１Ｂレンズ群Ｇ１Ｂのレンズ間隔が広がるので、コンパクト化が実現出来ない。
【００４８】
条件式（５）の下限を超えると、第１Ｂレンズ群Ｇ１Ｂの焦点距離が短くなり正の屈折力が強くなるので、第１Ｂレンズ群Ｇ１Ｂの各面での曲率がきつくなり、第１Ｂレンズ群Ｇ１Ｂにおいて収差補正が困難になる。また、曲率のきついレンズでは周辺部のコバ厚を十分に確保する必要があるので、コンパクト化が実現出来ない。
【００４９】
条件式（５）の上限を超えると、第１Ｂレンズ群Ｇ１Ｂの焦点距離が長くなり正の屈折力が弱くなるので、第１レンズ群全体の焦点距離が大きくなり過ぎる問題が生じる。
【００５０】
さらに、本発明に係る大口径レンズは、下記の条件式（６）を満足することが望ましい。
（６）０．７＜ｆ３／ｆ＜１．５
但し、
ｆ３：第３レンズ群Ｇ３の焦点距離
【００５１】
条件式（６）の下限を超えると、第３レンズ群Ｇ３の焦点距離が短くなり正の屈折力が強くなるので、第３レンズ群Ｇ３の屈折効果が大きくなる。その結果、フォーカシング時の非点収差の変動が大きくなるので、画面周辺部の収差補正が十分に出来ない。
【００５２】
条件式（６）の上限を超えると、第３レンズ群Ｇ３の焦点距離が長くなり正の屈折力が弱くなるので、第３レンズ群Ｇ３の屈折効果が少なくなる。その結果、周辺画角の射出角を小さくすることが出来ないという問題を生じる。
【００５３】
さらに、本発明に係る大口径レンズは、下記の条件式（７）を満足することが望ましい。
（７）４．０＜β２／β３＜５０．０
但し、
β２：第２レンズ群Ｇ２の倍率
β３：第３レンズ群Ｇ３の倍率
【００５４】
第２レンズ群Ｇ２と第３レンズ群Ｇ３の倍率の比は、フォーカシング時の像倍率変化を小さくする観点から適切に設定する必要がある。
【００５５】
条件式（７）の下限を超えると、フォーカシング時の像倍率変化をより小さくすることが出来るが、第１レンズ群Ｇ１の焦点距離を強くする必要があるので、十分な収差補正をするには非球面を採用する必要性が生じる。さらに、偏芯敏感度が増加するので製造時に偏芯による性能低下が問題になる。
【００５６】
条件式（７）の上限を超えると、フォーカシング時の像倍率変化が大きくなり過ぎるという問題が生じる。フォーカシング時の像倍率変化が大きくなると、動画撮影時にフォーカシングにより安定した撮影画像が得られないという問題が起こる。
【００５７】
次に、本発明の結像光学系に係る実施例のレンズ構成について説明する。なお、以下の説明ではレンズ構成を物体側から像側の順番で記載する。
【実施例１】
【００５８】
図１は、本発明の実施例１の結像光学系のレンズ構成図である。
【００５９】
第１レンズ群Ｇ１は、第１Ａレンズ群Ｇ１Ａと第１Ｂレンズ群Ｇ１Ｂとから構成されており、全体として正の屈折力を有している。
【００６０】
第１Ａレンズ群Ｇ１Ａは、物体側に凸面を向けた正メニスカスレンズＬ１と、物体側に凸面を向けた負メニスカスレンズＬ２とから構成されており、全体として負の屈折力を有している。
【００６１】
第１Ｂレンズ群Ｇ１Ｂは、両凹レンズＬ３と両凸レンズＬ４とからなり、全体として負の屈折力を有する接合レンズと、両凸レンズＬ５と物体側に凹面を向けた負メニスカスレンズＬ６とからなり、全体として正の屈折力を有する接合レンズと、両凸レンズＬ７とから構成されており、全体として正の屈折力を有している。
【００６２】
開口絞りは第１レンズ群Ｇ１の後部に固定されている。
【００６３】
第２レンズ群Ｇ２は、物体側に凸面を向けた負メニスカスレンズＬ８で構成されており、全体として負の屈折力を有している。また、負メニスカスレンズＬ８の物体側レンズ面は、所定の非球面形状となっている。この第２レンズ群Ｇ２は、無限遠から近距離へのフォーカシングに際して光軸に沿って像側に移動する。
【００６４】
第３レンズ群Ｇ３は、両凸レンズＬ９で構成されており、全体として正の屈折力を有している。また、両凸レンズＬ９の両レンズ面は、それぞれ所定の非球面形状となっている。
【実施例２】
【００６５】
図６は、本発明の実施例２の結像光学系のレンズ構成図である。
【００６６】
第１レンズ群Ｇ１は、第１Ａレンズ群１Ａ群Ｇ１Ａと第１Ｂレンズ群Ｇ１Ｂとから構成されており、全体として正の屈折力を有している。
【００６７】
第１Ａレンズ群Ｇ１Ａは、物体側に凸面を向けた正メニスカスレンズＬ１と、物体側に凸面を向けた負メニスカスレンズＬ２とから構成されており、全体として負の屈折力を有している。
【００６８】
第１Ｂレンズ群Ｇ１Ｂは、両凹レンズＬ３と両凸レンズＬ４とからなり、全体として負の屈折力を有する接合レンズと、物体側に凹面を向けた正メニスカスレンズＬ５と、物体側に凸面を向けた負メニスカスレンズＬ６と両凸レンズＬ７からなり、全体として正の屈折力を有する接合レンズとから構成されており、全体として正の屈折力を有している。
【００６９】
開口絞りは第１レンズ群Ｇ１の後部に固定されている。
【００７０】
第２レンズ群Ｇ２は、物体側に凸面を向けた負メニスカスレンズＬ８で構成されており、全体として負の屈折力を有している。また、負メニスカスレンズＬ８の物体側レンズ面は、所定の非球面形状となっている。この第２レンズ群Ｇ２は、無限遠から近距離へのフォーカシングに際して光軸に沿って像側に移動する。
【００７１】
第３レンズ群Ｇ３は、両凸レンズＬ９で構成されており、全体として正の屈折力を有している。また、両凸レンズＬ９の両レンズ面は、それぞれ所定の非球面形状となっている。
【実施例３】
【００７２】
図１１は、本発明の実施例３の結像光学系のレンズ構成図である。
【００７３】
第１レンズ群Ｇ１は、第１Ａレンズ群Ｇ１Ａと第１Ｂレンズ群Ｇ１Ｂとから構成されており、全体として正の屈折力を有している。
【００７４】
第１Ａレンズ群Ｇ１Ａは、物体側に凸面を向けた正メニスカスレンズＬ１と、物体側に凸面を向けた負メニスカスレンズＬ２とから構成されており、全体として負の屈折力を有している。
【００７５】
第１Ｂレンズ群Ｇ１Ｂは、両凹レンズＬ３と両凸レンズＬ４とからなり、全体として負の屈折力を有する接合レンズと、両凸レンズＬ５と、物体側に平面を向けた負メニスカスレンズＬ６と両凸レンズＬ７からなり、全体として正の屈折力を有する接合レンズとから構成されており、全体として正の屈折力を有している。また、両凸レンズＬ７の像側レンズ面は、所定の非球面形状となっている。
【００７６】
開口絞りは第１レンズ群Ｇ１の後部に固定されている。
【００７７】
第２レンズ群Ｇ２は、物体側に凸面を向けた負メニスカスレンズＬ８で構成されており、全体として負の屈折力を有している。また、負メニスカスレンズＬ８の物体側レンズ面は、所定の非球面形状となっている。この第２レンズ群Ｇ２は、無限遠から近距離へのフォーカシングに際して光軸に沿って像側に移動する。
【００７８】
第３レンズ群Ｇ３は、両凸レンズＬ９で構成されており、全体として正の屈折力を有している。また、両凸レンズＬ９の両レンズ面は、それぞれ所定の非球面形状となっている。
【実施例４】
【００７９】
図１６は、本発明の実施例４の結像光学系のレンズ構成図である。
【００８０】
第１レンズ群Ｇ１は、第１Ａレンズ群Ｇ１Ａと第１Ｂレンズ群Ｇ１Ｂとから構成されており、全体として正の屈折力を有している。
【００８１】
第１Ａレンズ群Ｇ１Ａは、物体側に凸面を向けた正メニスカスレンズＬ１と、物体側に凸面を向けた負メニスカスレンズＬ２とから構成されており、全体として負の屈折力を有している。また、負メニスカスレンズＬ２の物体側レンズ面は、所定の非球面形状となっている。
【００８２】
第１Ｂレンズ群Ｇ１Ｂは、両凹レンズＬ３と両凸レンズＬ４とからなり、全体として負の屈折力を有する接合レンズと、両凸レンズＬ５と、両凸レンズＬ６とから構成されており、全体として正の屈折力を有している。
【００８３】
開口絞りは第１レンズ群Ｇ１の後部に固定されている。
【００８４】
第２レンズ群Ｇ２は、物体側に凸面を向けた負メニスカスレンズＬ７で構成されており、全体として負の屈折力を有している。また、負メニスカスレンズＬ７の物体側レンズ面は、所定の非球面形状となっている。この第２レンズ群Ｇ２は、無限遠から近距離へのフォーカシングに際して光軸に沿って像側に移動する。
【００８５】
第３レンズ群Ｇ３は、両凸レンズＬ８で構成されており、全体として正の屈折力を有している。また、両凸レンズＬ８の像側レンズ面は、所定の非球面形状となっている。
【実施例５】
【００８６】
図２１は、本発明の実施例５の結像光学系のレンズ構成図である。
【００８７】
第１レンズ群Ｇ１は、第１Ａレンズ群Ｇ１Ａと第１Ｂレンズ群Ｇ１Ｂとから構成されており、全体として正の屈折力を有している。
【００８８】
第１Ａレンズ群Ｇ１Ａは、物体側に凸面を向けた正メニスカスレンズＬ１と、物体側に凸面を向けた負メニスカスレンズＬ２と、物体側に凸面を向けた負メニスカスレンズＬ３とから構成されており、全体として負の屈折力を有している。
【００８９】
第１Ｂレンズ群Ｇ１Ｂは、両凹レンズＬ４と両凸レンズＬ５とからなり、全体として負の屈折力を有する接合レンズと、両凸レンズＬ６と、両凸レンズＬ７とから構成されており、全体として正の屈折力を有している。
【００９０】
開口絞りは第１レンズ群Ｇ１の後部に固定されている。
【００９１】
第２レンズ群Ｇ２は、物体側に凸面を向けた負メニスカスレンズＬ８で構成されており、全体として負の屈折力を有している。また、負メニスカスレンズＬ８の物体側レンズ面は、所定の非球面形状となっている。この第２レンズ群Ｇ２は、無限遠から近距離へのフォーカシングに際して光軸に沿って像側に移動する。
【００９２】
第３レンズ群Ｇ３は、両凸レンズＬ９で構成されており、全体として正の屈折力を有している。また、両凸レンズＬ９の両レンズ面は、それぞれ所定の非球面形状となっている。
参考例１
【実施例６】
【００９３】
図２６は、本発明の参考例１の結像光学系のレンズ構成図である。
【００９４】
第１レンズ群Ｇ１は、第１Ａレンズ群Ｇ１Ａと第１Ｂレンズ群Ｇ１Ｂとから構成されており、全体として正の屈折力を有している。
【００９５】
第１Ａレンズ群Ｇ１Ａは、物体側に凸面を向けた正メニスカスレンズＬ１と、物体側に凸面を向けた負メニスカスレンズＬ２とから構成されており、全体として負の屈折力を有している。
【００９６】
第１Ｂレンズ群Ｇ１Ｂは、両凹レンズＬ３と両凸レンズＬ４とからなり、全体として負の屈折力を有する接合レンズと、物体側に平面を向けた正レンズＬ５と、両凸レンズＬ６とから構成されており、全体として正の屈折力を有している。
【００９７】
開口絞りは第１レンズ群Ｇ１の後部に固定されている。
【００９８】
第２レンズ群Ｇ２は、両凸レンズＬ７と両凹レンズＬ８とからなる接合レンズで構成されており、全体として負の屈折力を有している。また、両凸レンズＬ７の物体側レンズ面は、所定の非球面形状となっている。この第２レンズ群Ｇ２は、無限遠から近距離へのフォーカシングに際して光軸に沿って像側に移動する。
【００９９】
第３レンズ群Ｇ３は、両凸レンズＬ９で構成されており、全体として正の屈折力を有している。また、両凸レンズＬ９の両レンズ面は、それぞれ所定の非球面形状となっている。
参考例２
【実施例７】
【０１００】
図３１は、本発明の参考例２の結像光学系のレンズ構成図である。
【０１０１】
第１レンズ群Ｇ１は、第１Ａレンズ群Ｇ１Ａと第１Ｂレンズ群Ｇ１Ｂとから構成されており、全体として正の屈折力を有している。
【０１０２】
第１Ａレンズ群Ｇ１Ａは、物体側に凸面を向けた正メニスカスレンズＬ１と、物体側に凸面を向けた負メニスカスレンズＬ２とから構成されており、全体として負の屈折力を有している。また、負メニスカスレンズＬ２の物体側レンズ面は、所定の非球面形状となっている。
【０１０３】
第１Ｂレンズ群Ｇ１Ｂは、両凹レンズＬ３と両凸レンズＬ４とからなり、全体として負の屈折力を有する接合レンズと、両凸レンズＬ５と、両凸レンズＬ６とから構成されており、全体として正の屈折力を有している。
【０１０４】
開口絞りは第１レンズ群Ｇ１の後部に固定されている。
【０１０５】
第２レンズ群Ｇ２は、物体側に平面を向けた負メニスカスレンズＬ７と、物体側に凹面を向けた正メニスカスレンズＬ８と両凹レンズＬ９とからなり、全体として負の屈折力を有する接合レンズとから構成されており、全体として負の屈折力を有している。この第２レンズ群Ｇ２は、無限遠から近距離へのフォーカシングに際して光軸に沿って像側に移動する。
【０１０６】
第３レンズ群Ｇ３は、両凸レンズＬ１０と物体側に凹面を向けた負メニスカスレンズＬ１１とからなる接合レンズで構成されており、全体として正の屈折力を有している。また、両凸レンズＬ１０の物体側レンズ面は、所定の非球面形状となっている。
【実施例８】
【０１０７】
図３６は、本発明の実施例８の結像光学系のレンズ構成図である。
【０１０８】
第１レンズ群Ｇ１は、第１Ａレンズ群Ｇ１Ａと第１Ｂレンズ群Ｇ１Ｂとから構成されており、全体として正の屈折力を有している。
【０１０９】
第１Ａレンズ群Ｇ１Ａは、両凸レンズＬ１と、両凹レンズＬ２とから構成されており、全体として負の屈折力を有している。また、両凹レンズＬ２の物体側レンズ面は、所定の非球面形状となっている。
【０１１０】
第１Ｂレンズ群Ｇ１Ｂは、両凹レンズＬ３と両凸レンズＬ４とからなり、全体として負の屈折力を有する接合レンズと、両凸レンズＬ５と両凹レンズＬ６と両凸レンズＬ７とからなり、全体として正の屈折力を有する３枚接合レンズとから構成されており、全体として正の屈折力を有している。また、両凸レンズＬ４の像側レンズ面と両凸レンズＬ７の像側レンズ面は、それぞれ所定の非球面形状となっている。
【０１１１】
開口絞りは第１レンズ群Ｇ１の後部に固定されている。
【０１１２】
第２レンズ群Ｇ２は、物体側に凸面を向けた負メニスカスレンズＬ８で構成されており、全体として負の屈折力を有している。また、負メニスカスレンズＬ８の物体側レンズ面は、所定の非球面形状となっている。この第２レンズ群Ｇ２は、無限遠から近距離へのフォーカシングに際して光軸に沿って像側に移動する。
【０１１３】
第３レンズ群Ｇ３は、両凸レンズＬ９で構成されており、全体として正の屈折力を有している。また、両凸レンズＬ９の両レンズ面は、それぞれ所定の非球面形状となっている。
【実施例９】
【０１１４】
図４１は、本発明の実施例９の結像光学系のレンズ構成図である。
【０１１５】
第１レンズ群Ｇ１は、第１Ａレンズ群Ｇ１Ａと第１Ｂレンズ群Ｇ１Ｂとから構成されており、全体として正の屈折力を有している。
【０１１６】
第１Ａレンズ群Ｇ１Ａは、物体側に凸面を向けた正メニスカスレンズＬ１と、物体側に凸面を向けた負メニスカスレンズＬ２とから構成されており、全体として負の屈折力を有している。また、負メニスカスレンズＬ２の物体側レンズ面は、所定の非球面形状となっている。
【０１１７】
第１Ｂレンズ群Ｇ１Ｂは、両凹レンズＬ３と両凸レンズＬ４とからなり、全体として負の屈折力を有する接合レンズと、両凸レンズＬ５と、両凹レンズＬ６と両凸レンズＬ７とからなり、全体として正の屈折力を有する接合レンズとから構成されており、全体として正の屈折力を有している。また、両凸レンズＬ７の像側レンズ面は、所定の非球面形状となっている。
【０１１８】
開口絞りは第１レンズ群Ｇ１の後部に固定されている。
【０１１９】
第２レンズ群Ｇ２は、物体側に凸面を向けた負メニスカスレンズＬ８で構成されており、全体として負の屈折力を有している。また、負メニスカスレンズＬ８の物体側レンズ面は、所定の非球面形状となっている。この第２レンズ群Ｇ２は、無限遠から近距離へのフォーカシングに際して光軸に沿って像側に移動する。
【０１２０】
第３レンズ群Ｇ３は、両凸レンズＬ９で構成されており、全体として正の屈折力を有している。また、両凸レンズＬ９の両レンズ面は、それぞれ所定の非球面形状となっている。
【０１２１】
以下に本発明の大口径レンズに係る数値実施例１乃至数値実施例９を示す。
【０１２２】
［レンズ諸元］中の番号は物体側からのレンズの面番号、ｒはレンズ面の曲率半径、ｄはレンズの厚さおよび間隔、ｎｄはｄ線の屈折率、Ｖｄはｄ線のアッベ数を示す。
【０１２３】
絞りは絞り面の位置を示す。＊印は非球面を示し、空気の屈折率ｎ＝１．００００はその記載を省略する。
【０１２４】
［全体諸元］中のｆは焦点距離、ＦｎｏはＦナンバー、２ωは全画角を示す。
【０１２５】
［撮影距離の変化における可変間隔］には、焦点距離ｆがＩＮＦでの可変間隔を示す。ｄ０は被写体からレンズ第１面までの距離、ｄｎはｎ番目のレンズ面間隔を示し、Ｂｆはバックフォーカスを示す。
【０１２６】
［非球面データ］には、［レンズ諸元］において＊を付したレンズ面の非球面形状を与える非球面係数を示している。非球面の形状は、光軸に直行する方向への光軸からの変位をｙ、非球面と光軸の交点から光軸方向への変位（サグ量）をｚ、基準球面の曲率半径をｒ、コーニック係数をＫ、４、６、８、１０、１２次の非球面係数をＡ４、Ａ６、Ａ８、Ａ１０、Ａ１２と置くとき、非球面の座標が以下の式で表されるものとする。
【０１２７】
0005797941.tif 000002
【０１２８】
また、これらの各実施例における条件式の対応値の一覧を示す。
【０１２９】
また、各実施例に対応する収差図において、ｄ線、ｇ線、Ｃ線はそれぞれの波長に対する収差であり、ΔＳはサジタル像面、ΔＭはメリジオナル像面を示す。
【０１３０】
数値実施例1
単位:mm
［レンズ緒元］
r              d             nd             Vd
[0]                                 d0
[1]             20.3980         6.5160        2.00060          25.46
[2]             51.0040         2.5710
[3]             44.2500         0.8500        1.91082          35.25
[4]             10.8110         8.7940
[5]            -15.6140         0.8500        1.84666          23.78
[6]             20.8210         5.8890        1.88300          40.80
[7]            -27.0670         0.1500
[8]            660.9300         3.7220        1.88300          40.80
[9]            -26.7530         0.8500        1.74950          35.04
[10]            -42.9010         0.1500
[11]             36.7810         3.2800        1.77250          49.62
[12]           -178.2610         1.4060
[13]          (開口絞り)            d13
[14]*           132.0100         1.0000        1.73077          40.50
[15]             22.9690            d15
[16]*            76.4220         4.1590        1.77250          49.62
[17]*           -26.4550             Bf
［全体緒元］
INF           1：40
f                25.75          26.04
Fno                1.44           1.47
2ω               47.16          45.78
［撮影距離の変化における可変間隔］
d0                  INF        1021.50
d13              3.8000         4.8839
d15              9.3630         8.2791
Bf              20.1512        20.1512
［非球面データ］
14面           16面           17面
K                0.0000         0.0000         0.0000
A4          -1.46230E-05   -3.90950E-06    8.13930E-06
A6           2.54060E-09    4.85978E-07    3.10920E-07
A8           2.98690E-10   -1.00480E-08   -6.14970E-09
A10         -1.21080E-12    9.43840E-11    5.54270E-11
A12          0.00000E+00   -3.21440E-13   -1.77390E-13
【０１３１】
数値実施例2
単位:mm
［レンズ緒元］
r              d             nd             Vd
[0]                                 d0
[1]             21.1770         5.4840        2.00060          25.46
[2]             63.5320         2.2600
[3]             58.3540         0.8500        1.83481          42.72
[4]             10.9800         8.2670
[5]            -15.2930         0.8500        1.84666          23.78
[6]             24.9690         5.7020        1.88300          40.80
[7]            -23.5990         0.1500
[8]            -54.3320         1.8520        1.88300          40.80
[9]            -35.3000         0.1500
[10]             37.6310         0.8500        1.84666          23.78
[11]             21.4340         5.1650        1.88300          40.80
[12]            -76.6690         1.0180
[13]          (開口絞り)            d13
[14]*           178.9460         1.0000        1.73077          40.50
[15]             25.2500            d15
[16]*            75.9590         4.2220        1.77250          49.62
[17]*           -27.0950             Bf
［全体緒元］
INF           1：40
f                25.00          25.32
Fno                1.44           1.47
2ω               48.61          47.17
［撮影距離の変化における可変間隔］
d0                  INF         998.02
d13              2.8000         3.9378
d15             10.2190         9.0812
Bf              21.1597        21.1597
［非球面データ］
14面           16面           17面
K                0.0000         0.0000         0.0000
A4          -1.45960E-05    2.35710E-06    1.32510E-05
A6          -4.88750E-08    4.18840E-07    2.76170E-07
A8           1.60790E-09   -8.84660E-09   -5.50220E-09
A10         -1.31650E-11    8.62400E-11    5.28870E-11
A12          3.93750E-14   -2.88020E-13   -1.63960E-13
【０１３２】
数値実施例3
単位:mm
［レンズ緒元］
r              d             nd             Vd
[0]                                 d0
[1]             22.7630         4.4490        2.00060          25.46
[2]             75.2580         1.2750
[3]             60.4060         0.8500        1.72916          54.67
[4]             11.6960         8.8710
[5]            -15.5180         0.8000        1.84666          23.78
[6]             18.1920         6.4290        1.88300          40.80
[7]            -34.8930         0.1500
[8]             28.0620         5.1470        1.88300          40.80
[9]            -65.3120         0.1500
[10]                  ∞         0.8500        1.84666          23.78
[11]             46.3160         3.6930        1.80139          45.45
[12]*           -38.5400         0.8000
[13]          (開口絞り)            d13
[14]*           140.0000         1.0000        1.49710          81.56
[15]             14.8330            d15
[16]*           353.8940         3.0940        1.77250          49.62
[17]*           -27.0310             Bf
［全体緒元］
INF           1：40
f                25.00          24.94
Fno                1.44           1.46
2ω               47.81          46.88
［撮影距離の変化における可変間隔］
d0                  INF         989.01
d13              2.8000         3.4190
d15              7.1280         6.5090
Bf              18.5152        18.5152
［非球面データ］
12面           14面           16面           17面
K                0.0000         0.0000         0.0000         0.0000
A4           4.43770E-05   -1.70740E-05    5.88790E-05    4.86860E-05
A6          -6.17800E-08   -4.70880E-08    7.01760E-07    4.03570E-07
A8           3.31960E-10    1.85850E-09   -2.01800E-08   -1.02280E-08
A10         -6.05330E-13   -8.18250E-12    2.74260E-10    1.45990E-10
A12          0.00000E+00    0.00000E+00   -1.39840E-12   -7.61120E-13
【０１３３】
数値実施例4
単位:mm
［レンズ緒元］
r              d             nd             Vd
[0]                                 d0
[1]             23.4620         5.9100        2.00060          25.46
[2]             58.6590         3.5900
[3]*            55.1600         1.0500        1.80610          40.73
[4]             11.4120        10.2320
[5]            -14.7670         0.8500        1.80518          25.46
[6]             24.5840         6.1910        1.77250          49.62
[7]            -24.5840         0.1850
[8]            206.1340         3.3220        1.77250          49.62
[9]            -41.5080         0.3730
[10]             45.5270         3.7200        1.77250          49.62
[11]            -80.3110         0.9140
[12]          (開口絞り)         3.8000
[13]*           186.2530            d13        1.80610          40.73
[14]             27.7560         9.6100
[15]             97.4100            d15        1.77250          49.62
[16]*           -27.3550             Bf
［全体緒元］
INF           1：40
f                25.75          26.05
Fno                1.44           1.48
2ω               47.12          45.84
［撮影距離の変化における可変間隔］
d0                  INF        1021.51
d13              3.8000         4.9129
d15              9.6100         8.4971
Bf              23.5214        23.5214
［非球面データ］
3面           13面           16面
K                0.7428         0.0000        -0.1442
A4           3.21130E-06   -9.94590E-06    8.57010E-06
A6           3.27520E-09   -6.93060E-08   -3.19620E-08
A8           7.06530E-11    1.43770E-09    2.17460E-10
A10         -5.35310E-13   -1.20060E-11   -2.71040E-13
A12          0.00000E+00    3.83040E-14   -1.60330E-15
【０１３４】
数値実施例5
単位:mm
［レンズ緒元］
r              d             nd             Vd
[0]                                 d0
[1]             22.2860         5.4340        2.00060          25.46
[2]             38.5210         0.6970
[3]             19.8190         1.2000        1.54814          45.82
[4]             10.8100         6.1700
[5]             78.0410         0.8500        1.48749          70.44
[6]             15.6630         6.0000
[7]            -14.9680         0.8500        1.76182          26.61
[8]             21.5580         6.7280        1.77250          49.62
[9]            -22.3450         0.1500
[10]             51.8400         3.8070        1.77250          49.62
[11]            -55.0270         3.2820
[12]             42.9810         3.1020        1.49700          81.61
[13]           -139.4880            d13
[14]          (開口絞り)         3.7000
[15]*           179.4390            d15        1.80611          40.73
[16]             26.9060         8.9740
[17]*            71.0500         4.5530        1.77250          49.62
[18]*           -26.8050             Bf
［全体緒元］
INF           1：40
f                25.75          26.09
Fno                1.44           1.47
2ω               46.72          45.26
［撮影距離の変化における可変間隔］
d0                  INF        1021.50
d13              3.7000         4.8885
d15              8.9740         7.7855
Bf              20.6766        20.6765
［非球面データ］
15面           17面           18面
K                0.0000         0.0000         0.0000
A4          -1.52360E-05    7.94230E-06    1.80680E-05
A6           6.17620E-08    1.58650E-07    1.39490E-07
A8          -1.13030E-10   -5.97910E-09   -5.21670E-09
A10         -1.69240E-12    6.72500E-11    5.76510E-11
A12          1.07490E-14   -2.90790E-13   -2.44460E-13
【０１３５】
数値参考例1
単位:mm
［レンズ緒元］
r              d             nd             Vd
[0]                                 d0
[1]             23.9080         4.6690        2.00100          29.13
[2]             67.2980         2.2780
[3]             55.7840         0.8500        1.77250          49.62
[4]             11.5710         9.0850
[5]            -14.3370         0.8500        1.69895          30.05
[6]             23.9910         7.1070        1.77250          49.62
[7]            -23.9910         0.1500
[8]                  ∞         2.9920        1.77250          49.62
[9]            -43.5800         0.1500
[10]             59.9930         3.3710        1.77250          49.62
[11]            -92.8470         2.4270
[12]          (開口絞り)         3.2000
[13]*            88.0360            d13        1.77250          49.62
[14]           -131.7900         0.8500        1.71736          29.50
[15]             24.4080            d15
[16]*            87.5990         4.0850        1.77250          49.62
[17]*           -30.5690             Bf
［全体緒元］
INF           1：40
f                25.75          25.98
Fno                1.44           1.47
2ω               47.04          45.88
［撮影距離の変化における可変間隔］
d0                  INF        1023.71
d13              3.2000         4.4890
d15             10.7690         9.4800
Bf              21.3671        21.3671
［非球面データ］
13面           16面           17面
K               0.0000         0.0000         0.0000
A4          -6.97040E-06    1.14420E-06    9.26000E-06
A6          -5.37090E-09    3.79020E-07    2.80700E-07
A8           2.98040E-10   -9.28720E-09   -7.14400E-09
A10         -1.50070E-12    9.23050E-11    7.09240E-11
A12          0.00000E+00   -3.48500E-13   -2.67750E-13
【０１３６】
数値参考例2
単位:mm
［レンズ緒元］
r              d             nd             Vd
[0]                                 d0
[1]             45.7820         3.4570        1.90366          31.32
[2]            174.1090         1.5610
[3]*           175.5350         1.0000        1.43700          95.10
[4]             13.5000        12.7640
[5]            -17.3390         0.9000        1.67270          32.17
[6]             39.4660         7.0380        1.77250          49.62
[7]            -25.2430         0.1500
[8]             44.7260         4.2140        1.77250          49.62
[9]           -114.0290         0.1500
[10]             41.4030         6.4120        1.43700          95.10
[11]            -33.2030         0.8000
[12]          (開口絞り)         3.0000
[13]                  ∞            d13        1.62004          36.30
[14]             15.8690         2.5420
[15]          -4319.2950            d15        1.77250          49.62
[16]            -26.6540         0.8000        1.58144          40.89
[17]             80.0000         5.2080
[18]*            63.0530         5.5100        1.77250          49.62
[19]            -20.8740         0.8000        1.58144          40.89v
[20]            -43.5660             Bf
［全体緒元］
INF           1：40
f                25.75          25.77
Fno                1.44           1.46
2ω               46.61          45.86
［撮影距離の変化における可変間隔］
d0                  INF        1020.00
d13              3.0000         3.4297
d15              5.2080         4.7783
Bf              18.9998        18.9999
［非球面データ］
3面           18面
K               0.0000         0.0000
A4           1.21810E-05   -6.80570E-06
A6           1.72080E-08    2.36650E-07
A8          -1.14300E-10   -3.79380E-09
A10          5.61655E-13    3.26090E-11
A12         -9.67480E-16   -1.06230E-13
【０１３７】
数値実施例8
単位:mm
［レンズ緒元］
r              d             nd             Vd
[0]                                 d0
[1]             38.7360         3.0500        1.84666          23.78
[2]           -186.7630         1.1010
[3]*           -71.0670         0.8500        1.55332          71.68
[4]             15.0090         5.5720
[5]            -14.1550         0.8500        1.76182          26.61
[6]             26.2470         4.8710        1.88300          40.81
[7]*           -25.4560         0.1500
[8]             23.1020         6.3990        1.77250          49.62
[9]            -38.4430         0.8500        1.76182          26.61
[10]             35.8430         4.7700        1.88202          37.22
[11]*           -29.7170         0.8000
[12]          (開口絞り)         2.8000
[13]*           150.0000            d13        1.73077          40.50
[14]             14.5600         5.9430
[15]*          1000.0000            d15        1.77250          49.62
[16]*           -23.0700             Bf
［全体緒元］
INF           1：40
f                24.50          24.38
Fno                1.44           1.46
2ω               48.19          47.38
［撮影距離の変化における可変間隔］
d0                  INF         975.00
d13              2.8000         3.1808
d15              5.9430         5.5622
Bf              17.9992        17.9992
［非球面データ］
3面            7面           11面      
K                0.0000         0.0000         0.0000
A4           2.25380E-05    2.90910E-05    2.40570E-05
A6           2.16560E-07    8.79550E-08    6.58710E-08
A8          -4.24620E-09    0.00000E+00   -1.37470E-10
A10          4.37190E-11    0.00000E+00    0.00000E+00
A12         -1.51120E-13    0.00000E+00    0.00000E+00
13面           15面           16面
K                0.0000         0.0000         0.0000
A4          -1.52180E-05    3.65280E-05    2.40720E-05
A6           3.00280E-08    3.80720E-07    5.09640E-08
A8           1.89130E-09   -8.55830E-09    1.29860E-09
A10         -3.37140E-11    1.50140E-10    5.99830E-12
A12          1.59340E-13   -8.50150E-13   -2.44760E-14
【０１３８】
数値実施例9
単位:mm
［レンズ緒元］
r              d             nd             Vd
[0]                                 d0
[1]             25.2390         4.1460        2.00060          25.46
[2]             70.8000         0.7430
[3]*            46.8320         0.8500        1.59282          68.62
[4]             10.8850         8.6780
[5]            -16.8280         0.8500        1.84666          23.78
[6]             18.2390         6.5970        1.88300          40.80
[7]            -34.4700         0.1500
[8]             26.5600         6.1530        1.88300          40.80
[9]            -44.6790         0.1500
[10]            -95.4930         0.8500        1.78472          25.72
[11]             75.6630         2.8370        1.88202          37.22
[12]*           -40.5120         0.8400
[13]          (開口絞り)            d13
[14]*           150.0000         1.0000        1.73077          40.50
[15]             15.5170            d15
[16]*          1000.0000         3.1640        1.77250          49.62
[17]*           -23.2500             Bf
［全体緒元］
INF           1：40
f                24.50          24.40
Fno                1.44           1.46
2ω               48.02          47.17
［撮影距離の変化における可変間隔］
d0                  INF         971.00
d13              2.8000         3.2173
d15              6.1940         5.7767
Bf              17.9975        17.9975
［非球面データ］
3面           12面           14面    
K                0.0000         0.0000         0.0000
A4          -4.98140E-06    4.73890E-05   -1.17890E-05
A6           6.53870E-08   -1.02730E-07   -9.89580E-08
A8          -1.26830E-09    5.00120E-10    1.50980E-09
A10          9.03530E-12   -2.23420E-13    2.42970E-13
A12         -2.54630E-14    0.00000E+00   -3.28060E-14
16面           17面
K                0.0000         0.0000
A4           7.70950E-05    5.98700E-05
A6           1.86300E-07    1.19940E-07
A8          -4.85330E-09   -1.41860E-09
A10          8.12100E-11    4.47440E-11
A12         -4.48140E-13   -2.58500E-13
【０１３９】
0005797941.tif 000003
【符号の説明】
【０１４０】
Ｇ１      第１レンズ群
Ｇ２      第２レンズ群
Ｇ３      第３レンズ群
Ｇ１Ａ    第１Ａレンズ群
Ｇ１Ｂ    第１Ｂレンズ群
【図１】
0005797941.tif 000004
【図２】
0005797941.tif 000005
【図３】
0005797941.tif 000006
【図４】
0005797941.tif 000007
【図５】
0005797941.tif 000008
【図６】
0005797941.tif 000009
【図７】
0005797941.tif 000010
【図８】
0005797941.tif 000011
【図９】
0005797941.tif 000012
【図１０】
0005797941.tif 000013
【図１１】
0005797941.tif 000014
【図１２】
0005797941.tif 000015
【図１３】
0005797941.tif 000016
【図１４】
0005797941.tif 000017
【図１５】
0005797941.tif 000018
【図１６】
0005797941.tif 000019
【図１７】
0005797941.tif 000020
【図１８】
0005797941.tif 000021
【図１９】
0005797941.tif 000022
【図２０】
0005797941.tif 000023
【図２１】
0005797941.tif 000024
【図２２】
0005797941.tif 000025
【図２３】
0005797941.tif 000026
【図２４】
0005797941.tif 000027
【図２５】
0005797941.tif 000028
【図２６】
0005797941.tif 000029
【図２７】
0005797941.tif 000030
【図２８】
0005797941.tif 000031
【図２９】
0005797941.tif 000032
【図３０】
0005797941.tif 000033
【図３１】
0005797941.tif 000034
【図３２】
0005797941.tif 000035
【図３３】
0005797941.tif 000036
【図３４】
0005797941.tif 000037
【図３５】
0005797941.tif 000038
【図３６】
0005797941.tif 000039
【図３７】
0005797941.tif 000040
【図３８】
0005797941.tif 000041
【図３９】
0005797941.tif 000042
【図４０】
0005797941.tif 000043
【図４１】
0005797941.tif 000044
【図４２】
0005797941.tif 000045
【図４３】
0005797941.tif 000046
【図４４】
0005797941.tif 000047
【図４５】
0005797941.tif 000048